(57)【要約】【課題】記入された情報を示すファイルを、ユーザの必要に応じた単位で取得可能な情報入力装置及び情報入力プログラムを提供する。【解決手段】読取装置では、紙面の情報記入領域に線画を記入する電子ペンの軌跡を示す線画データが取得される（Ｓ１）。紙面の保存指示領域に線画が記入され、且つ通常モードが選択された場合、取得された線画データに基づいて対象線画を示す新規ファイルが生成される（Ｓ３：ＹＥＳ、Ｓ５：ＮＯ、Ｓ７）。紙面の保存指示領域に線画が記入され、且つ追記モードが選択された場合、取得された線画データに基づいて追記線画を示す追記ファイルが生成される（Ｓ３：ＹＥＳ、Ｓ５：ＹＥＳ、Ｓ９、Ｓ１１：ＹＥＳ、Ｓ１３）。【選択図】図４
2015109051.tif 000002
【特許請求の範囲】
【請求項１】
紙媒体を配置可能であり、且つ配置された前記紙媒体の紙面に対して線画を記入する筆記具の位置である記入位置を検出する検出手段と、
前記検出手段によって検出された前記記入位置に基づいて、前記紙面に設けられた情報記入領域に前記線画を記入する前記筆記具の軌跡を示す線画データを取得するデータ取得手段と、
前記検出手段によって検出された前記記入位置が前記紙面に設けられた指示入力領域である場合、前記情報記入領域に記入されている前記線画の少なくとも一部を示すファイルを生成する方法として、第一モード及び第二モードのいずれかを選択するモード選択手段と、
前記モード選択手段によって前記第一モードが選択された場合、前記データ取得手段によって取得された前記線画データに基づいて、第一線画を示す前記ファイルを生成する第一生成手段と、
前記モード選択手段によって前記第二モードが選択された場合、前記データ取得手段によって取得された前記線画データに基づいて、第二線画を示す前記ファイルを生成する第二生成手段とを備え、
前記第一線画は、前回生成された前記ファイルが示す前記線画である第三線画よりも後に、前記情報記入領域に対して記入された前記線画であり、
前記第二線画は、前記第三線画と前記第一線画との両方を含む前記線画であることを特徴とする情報入力装置。
【請求項２】
前記モード選択手段は、前記検出手段によって検出された前記記入位置に応じて、前記第一モード及び前記第二モードのいずれかを選択することを特徴とする請求項１に記載の情報入力装置。
【請求項３】
前記モード選択手段は、前記第一線画に対応する前記記入位置の全てが、前記第三線画に対応する前記記入位置の全てよりも、前記紙媒体における下方向にある場合、前記第二モードを選択することを特徴とする請求項２に記載の情報入力装置。
【請求項４】
前記モード選択手段は、前記第一線画に対応する前記記入位置の全てが、前記第三線画に対応する前記記入位置の全てよりも、前記紙媒体における右方向にある場合、前記第二モードを選択することを特徴とする請求項２又は３に記載の情報入力装置。
【請求項５】
前記モード選択手段は、前記第一線画に対応する前記記入位置の全てが、前記第三線画に対応する前記記入位置の全てと異なる場合、前記第二モードを選択することを特徴とする請求項２から４のいずれかに記載の情報入力装置。
【請求項６】
前記モード選択手段は、ユーザの指示に応じて、前記第一モード及び前記第二モードのいずれかを選択することを特徴とする請求項１から５のいずれかに記載の情報入力装置。
【請求項７】
紙媒体を配置可能であり、且つ配置された前記紙媒体の紙面に対して線画を記入する筆記具の位置である記入位置を検出する検出手段を備えた情報入力装置のコンピュータを、
前記検出手段によって検出された前記記入位置に基づいて、前記紙面に設けられた情報記入領域に前記線画を記入する前記筆記具の軌跡を示す線画データを取得するデータ取得手段、
前記検出手段によって検出された前記記入位置が前記紙面に設けられた指示入力領域である場合、前記情報記入領域に記入されている前記線画の少なくとも一部を示すファイルを生成する方法として、第一モード及び第二モードのいずれかを選択するモード選択手段、
前記モード選択手段によって前記第一モードが選択された場合、前記データ取得手段によって取得された前記線画データに基づいて、第一線画を示す前記ファイルを生成する第一生成手段、及び
前記モード選択手段によって前記第二モードが選択された場合、前記データ取得手段によって取得された前記線画データに基づいて、第二線画を示す前記ファイルを生成する第二生成手段、として機能させ、
前記第一線画は、前回生成された前記ファイルが示す前記線画である第三線画よりも、前記情報記入領域に対して後に記入された前記線画であり、
前記第二線画は、前記第三線画と前記第一線画との両方を含む前記線画であることを特徴とする情報入力プログラム。
【発明の詳細な説明】
【技術分野】
【０００１】
本発明は、紙媒体に対して情報を記入する筆記具の軌跡を電子化可能な情報入力装置及び情報入力プログラムに関する。
【背景技術】
【０００２】
従来、台座上に載置された紙媒体に対して情報を記入する筆記具の軌跡を、紙媒体に記入された情報の線画として電子化する装置が知られている。例えば、特許文献１に開示の手書き筆跡入力装置は、超音波と赤外線の送信器を備えたペンの信号を受信して、筆跡位置データを取得する。さらに手書き筆跡入力装置は、用紙の機能欄位置に記入があった場合、対応する機能を呼び出して実行する。
【先行技術文献】
【特許文献】
【０００３】
【特許文献１】特開２００５−３０１８６０号公報
【発明の概要】
【発明が解決しようとする課題】
【０００４】
従来の手書き筆跡入力装置では、ユーザが一枚の用紙の紙面（以下、ページという。）に情報を記入した後、ページの保存欄に記入すると、記入された情報を示す筆跡位置データが保存される。さらに、ユーザが同じページに情報を追記して保存欄に記入すると、追記された情報を示す筆跡位置データが保存される。この場合、ページに記入された全ての情報を示すファイルを取得したい場合、ユーザは同じページに記入された情報を示す全ての筆跡位置データを、一の筆跡位置データに合成する作業を行う必要があった。
【０００５】
本発明の目的は、記入された情報を示すファイルを、ユーザの必要に応じた単位で取得可能な情報入力装置及び情報入力プログラムを提供することである。
【課題を解決するための手段】
【０００６】
本発明の第一態様に係る情報入力装置は、紙媒体を配置可能であり、且つ配置された前記紙媒体の紙面に対して線画を記入する筆記具の位置である記入位置を検出する検出手段と、前記検出手段によって検出された前記記入位置に基づいて、前記紙面に設けられた情報記入領域に前記線画を記入する前記筆記具の軌跡を示す線画データを取得するデータ取得手段と、前記検出手段によって検出された前記記入位置が前記紙面に設けられた指示入力領域である場合、前記情報記入領域に記入されている前記線画の少なくとも一部を示すファイルを生成する方法として、第一モード及び第二モードのいずれかを選択するモード選択手段と、前記モード選択手段によって前記第一モードが選択された場合、前記データ取得手段によって取得された前記線画データに基づいて、第一線画を示す前記ファイルを生成する第一生成手段と、前記モード選択手段によって前記第二モードが選択された場合、前記データ取得手段によって取得された前記線画データに基づいて、第二線画を示す前記ファイルを生成する第二生成手段とを備え、前記第一線画は、前回生成された前記ファイルが示す前記線画である第三線画よりも後に、前記情報記入領域に対して記入された前記線画であり、前記第二線画は、前記第三線画と前記第一線画との両方を含む前記線画であることを特徴とする。
【０００７】
これによれば、配置された紙媒体の紙面に対して線画を記入する筆記具の位置である記入位置が、検出手段によって検出される。検出された記入位置に基づいて、紙面の情報記入領域に線画を記入する筆記具の軌跡を示す線画データが取得される。紙面の指示入力領域に線画が記入され、且つ第一モードが選択された場合、取得された線画データに基づいて第一線画を示すファイルが生成される。紙面の指示入力領域に線画が記入され、且つ第二モードが選択された場合、取得された線画データに基づいて第二線画を示すファイルが生成される。第一線画は、前回生成されたファイルが示す第三線画よりも後に、情報記入領域に対して記入された線画である。第二線画は、第三線画と第一線画との両方を含む線画である。したがって、紙媒体に記入された情報を示すファイルを、ユーザの必要に応じた単位で取得できる。
【０００８】
本発明の第二態様に係る情報入力プログラムは、紙媒体を配置可能であり、且つ配置された前記紙媒体の紙面に対して線画を記入する筆記具の位置である記入位置を検出する検出手段を備えた情報入力装置のコンピュータを、前記検出手段によって検出された前記記入位置に基づいて、前記紙面に設けられた情報記入領域に前記線画を記入する前記筆記具の軌跡を示す線画データを取得するデータ取得手段、前記検出手段によって検出された前記記入位置が前記紙面に設けられた指示入力領域である場合、前記情報記入領域に記入されている前記線画の少なくとも一部を示すファイルを生成する方法として、第一モード及び第二モードのいずれかを選択するモード選択手段、前記モード選択手段によって前記第一モードが選択された場合、前記データ取得手段によって取得された前記線画データに基づいて、第一線画を示す前記ファイルを生成する第一生成手段、及び前記モード選択手段によって前記第二モードが選択された場合、前記データ取得手段によって取得された前記線画データに基づいて、第二線画を示す前記ファイルを生成する第二生成手段、として機能させ、前記第一線画は、前回生成された前記ファイルが示す前記線画である第三線画よりも、前記情報記入領域に対して後に記入された前記線画であり、前記第二線画は、前記第三線画と前記第一線画との両方を含む前記線画であることを特徴とする。
【０００９】
これによれば、配置された紙媒体の紙面に対して線画を記入する筆記具の位置である記入位置が、検出手段によって検出される。検出された記入位置に基づいて、紙面の情報記入領域に線画を記入する筆記具の軌跡を示す線画データが取得される。紙面の指示入力領域に線画が記入され、且つ第一モードが選択された場合、取得された線画データに基づいて第一線画を示すファイルが生成される。紙面の指示入力領域に線画が記入され、且つ第二モードが選択された場合、取得された線画データに基づいて第二線画を示すファイルが生成される。第一線画は、前回生成されたファイルが示す第三線画よりも後に、情報記入領域に対して記入された線画である。第二線画は、第三線画と第一線画との両方を含む線画である。したがって、紙媒体に記入された情報を示すファイルを、ユーザの必要に応じた単位で取得できる。
【図面の簡単な説明】
【００１０】
【図１】手書入力システム１の概要を示す図である。
【図２】読取装置２の平面図である。
【図３】読取装置２及びＰＣ１９の電気的構成を示すブロック図である。
【図４】読取装置２のメイン処理を示すフローチャートである。
【図５】第一実施形態に係る追記判断処理のフローチャートである。
【図６】読取装置２において線画ファイルを生成する具体例である。
【図７】第二実施形態に係る追記判断処理のフローチャートである。
【図８】読取装置２において線画ファイルを生成する他の具体例である。
【図９】第三実施形態に係る追記判断処理のフローチャートである。
【発明を実施するための形態】
【００１１】
図１〜図６を参照して、本発明の第一実施形態を説明する。図１及び図２を参照して、本実施形態に係る手書入力システム１の概要を説明する。以下の説明では、便宜的に、図１の左上側、右下側、上側、下側、右上側、左下側が、各々、読取装置２及び紙媒体１００の左側、右側、前側、後側、上側、下側である。
【００１２】
図１に示すように、手書入力システム１は、読取装置２、電子ペン３、ＰＣ１９等を含む。読取装置２は、折り畳んで携行可能な、薄型軽量の手書き入力装置である。手書入力システム１では、ユーザは電子ペン３を用いて、読取装置２に固定された紙媒体１００の用紙１２０に、線画によって情報を記入する。線画は、文字、数値、記号、及び図形等を含む。読取装置２は、電子ペン３の位置を検出する。読取装置２は、経時的に検出された電子ペン３の複数の位置に基づいて、電子ペン３の軌跡を特定する。
【００１３】
図２に示すように、読取装置２は、左右一対の読取部２Ｌ，２Ｒ、フラットケーブル６、及びカバー４を含む。読取部２Ｌ，２Ｒは、いずれも矩形薄板状であり、カバー４の前面に左右方向に見開き可能に配置されている。読取部２Ｌ，２Ｒは、フラットケーブル６によって電気的に接続されている。読取部２Ｌは、カバー４の左側に設けられている袋部４Ａの内側に収容される。読取部２Ｒは、例えば両面テープによって、カバー４の右前面に貼り付けられる。
【００１４】
図１に示すように、紙媒体１００は、左右方向に見開き可能な冊子状である。紙媒体１００では、一対の表紙１１０Ｌ，１１０Ｒと複数の用紙１２０が、各々の縁部の一部で綴じられている。紙媒体１００は、読取装置２の前面に着脱可能である。表紙１１０Ｌが読取部２Ｌの上面に載置され、且つ、表紙１１０Ｒが読取部２Ｒの上面に載置されるように、紙媒体１００は読取装置２に装着される。表紙１１０Ｌ，１１０Ｒは各々、例えば両面テープによって、読取部２Ｌ，２Ｒに貼り付けられる。読取部２Ｌ，２Ｒは各々、表紙１１０Ｌ，１１０Ｒと一体的に移動可能である。
【００１５】
ユーザは電子ペン３を用いて、読取装置２に装着された紙媒体１００の用紙１２０に情報を記入できる。本実施形態では、用紙１２０の前後両面（つまり、二つの紙面）にそれぞれ、情報記入領域１２１及び保存指示領域１２２が設けられている。用紙１２０の紙面が、紙媒体１００の一ページ分に相当する。情報記入領域１２１は、ユーザが電子ペン３を用いて、電子化して保存したい各種情報（文字、記号、図形等）を示す線画を記入するための自由記入欄である。  保存指示領域１２２は、ユーザが電子ペン３を用いて、後述の線画ファイルの生成を指示するための線画（例えばチェックマーク）を記入可能なチェックボックスである。
【００１６】
電子ペン３は、公知の電磁誘導式の電子ペンであり、略円筒状の筒体３０を有する。筒体３０の内部に、芯体３１の一部、コイル３２、可変容量コンデンサ３３、基板３４、コンデンサ３５、及びインク収納部３６が収容される。芯体３１は、電子ペン３の先端部に設けられている。芯体３１は図示外の弾性部材によって、電子ペン３の先端側に付勢されている。芯体３１の先端部は、筒体３０の外部に突出している。芯体３１の後端側は、インクを収納するインク収納部３６に接続されている。インク収納部３６は、芯体３１にインクを供給する。ユーザが電子ペン３を用いて筆記すると、インクによって用紙１２０に線画が形成される。
【００１７】
コイル３２は、インク収納部３６の周囲に巻回された状態で、芯体３１と可変容量コンデンサ３３との間に保持されている。可変容量コンデンサ３３は、基板３４によって電子ペン３の内部に固定されている。基板３４には、コンデンサ３５が搭載されている。コンデンサ３５及び可変容量コンデンサ３３はコイル３２に並列に接続され、周知の共振（同調）回路を構成する。
【００１８】
図３を参照して、手書入力システム１の電気的構成を説明する。読取装置２は、センサ基板７Ｌ，７Ｒ、メイン基板２０、及びセンサ制御基板２８，２９を備える。センサ基板７Ｌ，７Ｒは、夫々、読取部２Ｌ，２Ｒの内部に設けられる。メイン基板２０は、ＣＰＵ２１、ＲＡＭ２２、フラッシュＲＯＭ２３、及び無線通信部２４を備える。ＣＰＵ２１は、読取装置２の制御を行う。ＲＡＭ２２は、演算データ等の各種データを一時的に記憶する。フラッシュＲＯＭ２３は、ＣＰＵ２１が読取装置２を制御するために実行する各種プログラムを記憶する。フラッシュＲＯＭ２３は、電子ペン３の軌跡を示す線画データを記憶する。無線通信部２４は、外部の電子機器と近距離無線通信を実行するためのコントローラである。
【００１９】
センサ基板７Ｌ，７Ｒに、Ｘ軸方向及びＹ軸方向の各々に細長いループコイルが多数配列されている。センサ基板７Ｌは、センサ制御基板２８のＡＳＩＣ２８Ａに電気的に接続されている。センサ基板７Ｒは、センサ制御基板２９のＡＳＩＣ２９Ａに電気的に接続されている。ＡＳＩＣ２８Ａ，２９Ａのうち、マスター側のＡＳＩＣ２８ＡはＣＰＵ２１に直接接続され、スレーブ側のＡＳＩＣ２９ＡはＡＳＩＣ２８Ａを介してＣＰＵ２１に接続されている。
【００２０】
線画データが取得される原理を、概略的に説明する。ＣＰＵ２１はＡＳＩＣ２８Ａ，２９Ａを制御して、センサ基板７Ｌ，７Ｒの各々のループコイルに、一本ずつ特定の周波数の電流（励磁用送信電流）を流す。これにより、センサ基板７Ｌ，７Ｒの各々のループコイルから磁界が発生する。この状態で、例えばユーザが電子ペン３を用いて、読取装置２に固定された紙媒体１００の用紙１２０に線画を記入する動作を行うと、電子ペン３はセンサ基板７Ｌ，７Ｒに近接する。そのため、電子ペン３の共振回路は電磁誘導によって共振し、誘導磁界を生じる。
【００２１】
次に、ＣＰＵ２１はＡＳＩＣ２８Ａ，２９Ａを制御して、センサ基板７Ｌ，７Ｒの各々のループコイルからの磁界の発生を停止させる。センサ基板７Ｌ，７Ｒの各々のループコイルは、電子ペン３の共振回路から発せられる誘導磁界を受信する。ＣＰＵ２１はＡＳＩＣ２８Ａ，２９Ａを制御して、センサ基板７Ｌ，７Ｒの各々のループコイルに流れる信号電流（受信電流）を検出させる。ＡＳＩＣ２８Ａ，２９Ａがこの動作を全てのループコイルについて一本ずつ実行することで、受信電流に基づいて電子ペン３の位置が座標情報として検出される。
【００２２】
電子ペン３を用いて用紙１２０に線画が記入されている状態では、芯体３１に筆圧が付与される。コイル３２のインダクタンスは、芯体３１に付与される筆圧に応じて変化する。これにより、芯体３１に付与される筆圧に応じて、電子ペン３の共振回路の共振周波数が変化する。ＣＰＵ２１は、共振周波数の変化（位相変化）を検出して、電子ペン３に付与された筆圧を特定する。ＣＰＵ２１は、特定した筆圧によって、用紙１２０に線画が記入されている状態であるか否かを検出できる。
【００２３】
読取装置２で検出可能な電子ペン３の全ての座標点と、読取装置２に固定された用紙１２０上の座標点との対応を定める位置特定テーブルが、フラッシュＲＯＭ２３に記憶されている。ＣＰＵ２１はフラッシュＲＯＭ２３の位置特定テーブルを参照することで、検出した電子ペン３の座標点に基づいて、用紙１２０上における線画の記入位置を特定できる。ＣＰＵ２１は、一の連続する線画毎に線画データを取得する。線画データは、電子ペン３が用紙１２０に接触してから離れるまでの一回の記入動作における、電子ペン３の軌跡を示す複数の座標情報を含む。
【００２４】
本実施形態では、ＣＰＵ２１は検出した電子ペン３の座標点に基づいて、情報記入領域１２１及び保存指示領域１２２（図１参照）のいずれに線画が記入されているか否かを判断できる。情報記入領域１２１に線画が記入されていると判断した場合、ＣＰＵ２１は線画データを取得し、ＲＡＭ２２に一時記憶する。保存指示領域１２２に線画が記入されていると判断した場合、ＣＰＵ２１はＲＡＭ２２に一時記憶されている線画データに基づいて、線画ファイルを生成してフラッシュＲＯＭ２３に保存する。線画ファイルは、情報記入領域１２１に記入されている線画全体の少なくとも一部を示す画像ファイルである。
【００２５】
ＰＣ１９は、ＣＰＵ４１，ハードディスクドライブ（ＨＤＤ）４２、ＲＡＭ４３、無線通信部４４、入力回路４５、出力回路４６、入力部１９１、及びディスプレイ１９２を含む。ＣＰＵ４１は、ＰＣ１９の制御を行う。ＨＤＤ４２は、ＣＰＵ４１が実行する各種プログラムを記憶する。ＲＡＭ４３は、種々の一時データを記憶する。無線通信部４４は、外部の電子機器と近距離無線通信を実行するためのコントローラである。入力回路４５は、ＣＰＵ４１へ入力部１９１からの指示を送る制御を行う。出力回路４６は、ＣＰＵ４１からの指示に応じてディスプレイ１９２に画像を表示する制御を行う。
【００２６】
ＣＰＵ４１は、ＰＣ１９で読取装置２の線画ファイルを取得する指示が入力された場合、無線通信部４４を介して読取装置２との間で近距離無線通信を実行する。読取装置２のフラッシュＲＯＭ２３に記憶されている線画ファイルは、読取装置２からＰＣ１９に転送される。ＣＰＵ４１は、読取装置２から転送された線画ファイルをＲＡＭ４３に記憶する。ＣＰＵ４１は、ＲＡＭ４３に記憶した線画ファイルに基づく画像を、ディスプレイ１９２に表示できる。さらにＣＰＵ４１は、ＲＡＭ４３に記憶した線画ファイルに基づく画像に対して公知のＯＣＲ処理を実行することで、用紙１２０に記入された情報を取得できる。
【００２７】
図４を参照し、読取装置２のメイン処理を説明する。読取装置２の電源がＯＮされた場合、ＣＰＵ２１がフラッシュＲＯＭ２３に記憶されたプログラムを実行することで、メイン処理を開始する。まず、読取装置２におけるユーザの筆記が検出される（Ｓ１）。ステップＳ１では、先述したように、電子ペン３によって用紙１２０に記入されている線画が検出され、線画データが取得される。取得された線画データは、ＲＡＭ２２に一時記憶される。
【００２８】
次いで、保存指示ありか否が判断される（Ｓ３）。本実施形態では、線画の記入位置が情報記入領域１２１である場合、保存指示なしと判断される（Ｓ３：ＮＯ）。この場合、処理はステップＳ１に戻る。一方、線画の記入位置が保存指示領域１２２である場合、保存指示ありと判断される（Ｓ３：ＹＥＳ）。この場合、現在設定されているファイル保存モードが、追記モードであるか否かが判断される（Ｓ５）。
【００２９】
ファイル保存モードは、線画ファイルを生成する方法を示す情報であり、フラッシュＲＯＭ２３に設定されている。ユーザは読取装置２の物理キー（図示外）を操作して、ファイル保存モードとして通常モード及び追記モードのいずれかを選択的に設定できる。通常モードは、後述の新規ファイルを生成するモードである。追記モードは、後述の追記ファイルを優先的に生成するモードである。
【００３０】
フラッシュＲＯＭ２３に設定されているファイル保存モードが通常モードである場合（Ｓ５：ＮＯ）、新規ファイルが生成されて、フラッシュＲＯＭ２３に保存される（Ｓ７）。新規ファイルは、対象線画を示す線画ファイルである。対象線画は、後述の前回保存ファイルが示す線画よりも後に、情報記入領域１２１に対して記入された線画である。前回保存ファイルが示す線画を、前回線画という。
【００３１】
例えばステップＳ７では、ＲＡＭ２２に一時記憶されている全ての線画データが一つのファイルに合成されて、新たな線画ファイルである新規ファイルが生成される。新規ファイルの生成に用いられた線画データは、ＲＡＭ２２から削除される。フラッシュＲＯＭ２３では、新規ファイルが生成された日時を示すファイル生成日時と対応付けて、生成された新規ファイルが記憶される。その後、処理はステップＳ１に戻る。
【００３２】
フラッシュＲＯＭ２３に設定されているファイル保存モードが追記モードである場合（Ｓ５：ＹＥＳ）、後述の追記判断処理が実行される（Ｓ９）。追記判断処理に基づく戻り値が「ＦＡＬＳＥ」である場合（Ｓ１１：ＮＯ）、処理はステップＳ７に進み、先述のように新規ファイルが生成及び保存される。追記判断処理に基づく戻り値が「ＴＲＵＥ」である場合（Ｓ１１：ＹＥＳ）、追記ファイルが生成されて、フラッシュＲＯＭ２３に保存される（Ｓ１３）。追記ファイルは、追記線画を示す線画ファイルである。追記線画は、先述の対象線画と前回線画との両方を含む線画である。
【００３３】
例えばステップＳ１３では、フラッシュＲＯＭ２３に記憶されている前回保存ファイルと、ＲＡＭ２２に一時記憶されている全ての線画データが一つのファイルに合成されて、追記ファイルが生成される。前回保存ファイルは、前回実行されたステップＳ７又はＳ１３のうち、後に実行されたステップで生成された新規ファイル又は追記ファイルである。さらに、追記ファイルの生成に用いられた線画データは、ＲＡＭ２２から削除される。フラッシュＲＯＭ２３では、追記ファイルが生成された日時を示すファイル生成日時と対応付けて、生成された追記ファイルが記憶される。つまり、フラッシュＲＯＭ２３に記憶されている前回保存ファイルが、ステップＳ１３で生成された追記ファイルによって更新される。その後、処理はステップＳ１に戻る。
【００３４】
ただしメイン処理の開始直後は、フラッシュＲＯＭ２３に前回保存ファイルが記憶されていない。この場合、ステップＳ１３では、ステップＳ７と同様にＲＡＭ２２に一時記憶されている全ての線画データが一つのファイルに合成されて、新規ファイルと同様の追記ファイルが生成される。
【００３５】
図５を参照し、第一実施形態の追記判断処理を説明する。まずフラッシュＲＯＭ２３に前回保存ファイルがあるか否かが判断される（Ｓ２１）。前回保存ファイルがある場合（Ｓ２１：ＹＥＳ）、対象線画の最小Ｙ座標が変数ＹｍｉｎとしてＲＡＭ２２に設定される（Ｓ２３）。最小Ｙ座標は、線画を構成する全ての座標点のうち、最も小さいＹ軸方向の座標である。本実施形態のＹ軸方向は、読取部２Ｌ，２Ｒの上側から下側に向く。したがって、紙媒体１００における線画の記入位置が下側に移動するほど、検出されるＹ座標は大きくなる。ステップＳ２３では、ＲＡＭ２２に一時記憶されている線画データに含まれる全座標点のうちで最小Ｙ座標が、変数Ｙｍｉｎに設定される。
【００３６】
次いで、ＲＡＭ２２に設定されている変数Ｙｍｉｎが、ＲＡＭ２２に設定されている変数Ｙｍａｘよりも大であるか否かが判断される（Ｓ２５）。変数Ｙｍａｘは、対象線画の最大Ｙ座標を示す。最大Ｙ座標は、線画を構成する全ての座標点のうち、最も大きいＹ軸方向の座標である。変数Ｙｍｉｎが変数Ｙｍａｘよりも大である場合（Ｓ２５：ＹＥＳ）、メイン処理（図４参照）に「ＴＲＵＥ」が返される（Ｓ２７）。変数Ｙｍｉｎが変数Ｙｍａｘ以下である場合（Ｓ２５：ＮＯ）、メイン処理（図４参照）に「ＦＡＬＳＥ」が返される（Ｓ２９）。
【００３７】
ステップＳ２７又はＳ２９の実行後、対象線画の最大Ｙ座標が変数ＹｍａｘとしてＲＡＭ２２に設定される（Ｓ３１）。ステップＳ３１では、ＲＡＭ２２に一時記憶されている線画データに含まれる全座標点のうちで最大Ｙ座標が、変数Ｙｍａｘに設定される。これにより、変数Ｙｍａｘは、次回のステップＳ２５において前回線画の最大Ｙ座標を示す。その後、処理はメイン処理（図４参照）に戻る。
【００３８】
図６を参照し、本実施形態に係る読取装置２で線画ファイルが生成される事例を、具体的に説明する。図６に示す例では、読取装置２の電源がＯＮされた状態で、読取装置２の前面に紙媒体１００が装着されている。読取装置２に設定されているファイル保存モードは、追記モードである。ユーザは電子ペン３を用いて、情報記入領域１２１に「１２３」を記入する。読取装置２では、「１２３」を構成する複数の線画データが、ＲＡＭ２２に一時記憶される（Ｓ１、Ｓ３：ＮＯ）。その後、ユーザは電子ペン３を用いて、保存指示領域１２２にチェックマークを記入する（Ｓ３：ＹＥＳ）。
【００３９】
読取装置２では、まだ前回保存ファイルが存在していないため、戻り値は「ＦＡＬＳＥ」である（Ｓ５：ＹＥＳ、Ｓ２１：ＮＯ、Ｓ２９）。この場合、対象線画である「１２３」の最大Ｙ座標（本実施形態の下端座標）が変数Ｙｍａｘに設定される（Ｓ３１）。ＲＡＭ２２に一時記憶されている線画データに基づいて、対象線画「１２３」を示す新規ファイル１３１が生成され、フラッシュＲＯＭ２３に保存される（Ｓ１１：ＮＯ、Ｓ７）。
【００４０】
引き続き、ユーザは電子ペン３を用いて、情報記入領域１２１に「ＡＢＣ」を記入する。読取装置２では、「ＡＢＣ」を構成する複数の線画データが、ＲＡＭ２２に一時記憶される（Ｓ１、Ｓ３：ＮＯ）。その後、ユーザは電子ペン３を用いて、保存指示領域１２２にチェックマークを記入する（Ｓ３：ＹＥＳ）。読取装置２では、「１２３」を示す前回保存ファイルが存在するため（Ｓ５：ＹＥＳ、Ｓ２１：ＹＥＳ）、対象線画である「ＡＢＣ」の最小Ｙ座標（本実施形態の上端座標）が変数Ｙｍｉｎに設定される（Ｓ２３）。
【００４１】
図６に示す第一パターンでは、ユーザは「１２３」を記入した用紙１２０に、更に「ＡＢＣ」を記入している。対象線画「ＡＢＣ」を構成する全座標点は、前回線画「１２３」を構成する全座標点よりも下側に位置する。変数Ｙｍｉｎは変数Ｙｍａｘよりも大きいため、戻り値は「ＴＲＵＥ」である（Ｓ２５：ＹＥＳ、Ｓ２７）。この場合、前回保存ファイル（つまり、新規ファイル１３１）と対象線画「ＡＢＣ」の線画データとに基づいて、追記線画として「１２３」及び「ＡＢＣ」を示す追記ファイル１３２が生成される。フラッシュＲＯＭ２３では、新規ファイル１３１が追記ファイル１３２に更新される（Ｓ１１：ＹＥＳ、Ｓ１３）。
【００４２】
図６に示す第二パターンでは、ユーザは紙媒体１００の用紙１２０を切り替えて、「１２３」を記入した用紙１２０とは異なる用紙に「ＡＢＣ」を記入している。対象線画「ＡＢＣ」を構成する全座標点の一部は、前回線画「１２３」を構成する全座標点の一部と重複している。変数Ｙｍｉｎは変数Ｙｍａｘ以下であるため、戻り値は「ＦＡＬＳＥ」である（Ｓ２５：ＮＯ、Ｓ２９）。この場合、ＲＡＭ２２に一時記憶されている線画データに基づいて、対象線画「ＡＢＣ」を示す新規ファイル１３３が生成され、フラッシュＲＯＭ２３に保存される（Ｓ１１：ＮＯ、Ｓ７）。
【００４３】
なお、図示しないが、ファイル保存モードが通常モードに設定されている場合、例えば次のように線画ファイルが生成される。ユーザは電子ペン３を用いて、情報記入領域１２１に「１２３」を記入した後、保存指示領域１２２にチェックマークを記入する。読取装置２では、ＲＡＭ２２に一時記憶されている線画データに基づいて、対象線画「１２３」を示す新規ファイルが生成され、フラッシュＲＯＭ２３に保存される（Ｓ３：ＹＥＳ、Ｓ５：ＮＯ、Ｓ７）。
【００４４】
引き続き、ユーザは電子ペン３を用いて、情報記入領域１２１に「ＡＢＣ」を記入した後、保存指示領域１２２にチェックマークを記入する。読取装置２では、対象線画「ＡＢＣ」の座標点が前回線画「１２３」の座標点と重複するか否かに関係なく、ＲＡＭ２２に一時記憶されている線画データに基づいて、対象線画「ＡＢＣ」を示す新規ファイルが生成され、フラッシュＲＯＭ２３に保存される（Ｓ３：ＹＥＳ、Ｓ５：ＮＯ、Ｓ７）。
【００４５】
以上説明したように、第一実施形態の読取装置２では、配置された紙媒体１００の紙面に対して線画を記入する電子ペン３の位置である記入位置が、読取部２Ｌ，２Ｒ及びＣＰＵ２１によって検出される。検出された記入位置に基づいて、紙面の情報記入領域１２１に線画を記入する電子ペン３の軌跡を示す線画データが取得される（Ｓ１）。紙面の保存指示領域１２２に線画が記入され、且つ通常モードが選択された場合、取得された線画データに基づいて対象線画を示す新規ファイルが生成される（Ｓ３：ＹＥＳ、Ｓ５：ＮＯ、Ｓ７）。紙面の保存指示領域１２２に線画が記入され、且つ追記モードが選択された場合、取得された線画データに基づいて追記線画を示す追記ファイルが生成される（Ｓ３：ＹＥＳ、Ｓ５：ＹＥＳ、Ｓ９、Ｓ１１：ＹＥＳ、Ｓ１３）。対象線画は、前回保存ファイルが示す前回線画よりも後に、情報記入領域１２１に対して記入された線画である。追記線画は、前回線画と追記線画との両方を含む線画である。したがって、紙媒体１００に記入された情報を示すファイルを、ユーザの必要に応じた単位で取得できる。
【００４６】
読取部２Ｌ，２Ｒ及びＣＰＵ２１によって検出された記入位置に応じて、通常モード及び追記モードのいずれかが選択される（Ｓ９）。詳細には、対象線画に対応する記入位置の全てが、追記線画に対応する記入位置の全てよりも、紙媒体１００における下方向にある場合、追記モードが選択される（Ｓ２５：ＹＥＳ、Ｓ２７）。したがって、ユーザが前回線画と同じ紙面（ページ）に対象線画を記入している可能性が高い場合には、対象線画及び前回線画を一つにまとめた追記ファイルを自動的に生成することで、ユーザの操作負担を軽減できる。
【００４７】
図７及び図８を参照して、本発明の第二実施形態を説明する。第二実施形態は、第一実施形態と比べて、追記判断処理（Ｓ９）の詳細が異なる。以下では、第一実施形態と異なる点を中心に説明する。
【００４８】
図７に示すように、第二実施形態の追記判断処理では、ステップＳ２１と同様に、前回保存ファイルがあるか否かが判断される（Ｓ４１）。前回保存ファイルがある場合（Ｓ４１：ＹＥＳ）、対象線画の最小Ｘ座標が変数ＸｍｉｎとしてＲＡＭ２２に設定される（Ｓ４３）。最小Ｘ座標は、対象線画を構成する全ての座標点のうち、最も小さいＸ軸方向の座標である。本実施形態のＸ軸方向は、読取部２Ｌ，２Ｒの左側から右側に向く。したがって、紙媒体１００における線画の記入位置が右側に移動するほど、検出されるＸ座標は大きくなる。ステップＳ４３では、ＲＡＭ２２に一時記憶されている線画データに含まれる全座標点のうちで最小Ｘ座標が、変数Ｘｍｉｎに設定される。
【００４９】
次いで、ＲＡＭ２２に設定されている変数Ｘｍｉｎが、ＲＡＭ２２に設定されている変数Ｘｍａｘよりも大であるか否かが判断される（Ｓ４５）。変数Ｘｍａｘは、対象線画の最大Ｘ座標を示す。最大Ｘ座標は、線画を構成する全ての座標点のうち、最も大きいＸ軸方向の座標である。変数Ｘｍｉｎが変数Ｘｍａｘよりも大である場合（Ｓ４５：ＹＥＳ）、メイン処理（図４参照）に「ＴＲＵＥ」が返される（Ｓ４７）。変数Ｘｍｉｎが変数Ｘｍａｘ以下である場合（Ｓ４５：ＮＯ）、メイン処理（図４参照）に「ＦＡＬＳＥ」が返される（Ｓ４９）。
【００５０】
ステップＳ４７又はＳ４９の実行後、対象線画の最大Ｘ座標が変数ＸｍａｘとしてＲＡＭ２２に設定される（Ｓ５１）。ステップＳ５１では、ＲＡＭ２２に一時記憶されている線画データに含まれる全座標点のうちで最大Ｘ座標が、変数Ｘｍａｘに設定される。これにより、変数Ｘｍａｘは、次回のステップＳ４５において前回線画の最大Ｘ座標を示す。その後、処理はメイン処理（図４参照）に戻る。
【００５１】
図８を参照し、本実施形態に係る読取装置２で線画ファイルが生成される事例を、具体的に説明する。図８に示す例では、図６に示す例と同様に、読取装置２の電源がＯＮされた状態で、読取装置２の前面に紙媒体１００が装着されている。読取装置２に設定されているファイル保存モードは、追記モードである。ユーザは電子ペン３を用いて、情報記入領域１２１に「１２３」を記入した後、保存指示領域１２２にチェックマークを記入する（Ｓ３：ＹＥＳ）。
【００５２】
読取装置２では、まだ前回保存ファイルが存在していないため、戻り値は「ＦＡＬＳＥ」である（Ｓ５：ＹＥＳ、Ｓ４１：ＮＯ、Ｓ４９）。この場合、対象線画である「１２３」の最大Ｘ座標（本実施形態の右端座標）が変数Ｘｍａｘに設定される（Ｓ５１）。対象線画「１２３」を示す新規ファイル１４１が生成され、フラッシュＲＯＭ２３に保存される（Ｓ１１：ＮＯ、Ｓ７）。引き続き、ユーザは電子ペン３を用いて、情報記入領域１２１に「ＡＢＣ」を記入し、保存指示領域１２２にチェックマークを記入する（Ｓ３：ＹＥＳ）。読取装置２では、「１２３」を示す前回保存ファイルが存在するため（Ｓ５：ＹＥＳ、Ｓ４１：ＹＥＳ）、対象線画である「ＡＢＣ」の最小Ｘ座標（本実施形態の左端座標）が変数Ｘｍｉｎに設定される（Ｓ４３）。
【００５３】
図８に示す第一パターンでは、対象線画「ＡＢＣ」を構成する全座標点は、前回線画「１２３」を構成する全座標点よりも右側に位置する。変数Ｘｍｉｎは変数Ｘｍａｘよりも大きいため、戻り値は「ＴＲＵＥ」である（Ｓ４５：ＹＥＳ、Ｓ４７）。この場合、追記線画として「１２３」及び「ＡＢＣ」を示す追記ファイル１４２が生成される。フラッシュＲＯＭ２３では、新規ファイル１４１が追記ファイル１４２に更新される（Ｓ１１：ＹＥＳ、Ｓ１３）。
【００５４】
図８に示す第二パターンでは、対象線画「ＡＢＣ」を構成する全座標点の一部は、前回線画「１２３」を構成する全座標点の一部と重複している。変数Ｘｍｉｎは変数Ｘｍａｘ以下であるため、戻り値は「ＦＡＬＳＥ」である（Ｓ４５：ＮＯ、Ｓ４９）。この場合、対象線画「ＡＢＣ」を示す新規ファイル１４３が生成され、フラッシュＲＯＭ２３に保存される（Ｓ１１：ＮＯ、Ｓ７）。
【００５５】
以上説明したように、第二実施形態の読取装置２では、第一実施形態と同様に、紙媒体１００に記入された情報を示すファイルを、ユーザの必要に応じた単位で取得できる。読取部２Ｌ，２Ｒ及びＣＰＵ２１によって検出された記入位置に応じて、通常モード及び追記モードのいずれかが選択される（Ｓ９）。詳細には、対象線画に対応する記入位置の全てが、追記線画に対応する記入位置の全てよりも、紙媒体１００における右方向にある場合、追記モードが選択される（Ｓ４５：ＹＥＳ、Ｓ４７）。したがって、ユーザが前回線画と同じ紙面（ページ）に対象線画を記入している可能性が高い場合には、対象線画及び前回線画を一つにまとめた追記ファイルを自動的に生成することで、ユーザの操作負担を軽減できる。
【００５６】
図９を参照して、本発明の第三実施形態を説明する。第三実施形態は、第一及び第二実施形態と比べて、追記判断処理（Ｓ９）の詳細が異なる。以下では、第一及び第二実施形態と異なる点を中心に説明する。
【００５７】
図９に示すように、第三実施形態の追記判断処理では、ステップＳ２１と同様に、前回保存ファイルがあるか否かが判断される（Ｓ６１）。前回保存ファイルがある場合（Ｓ６１：ＹＥＳ）、前回線画の全座標点がマッピングされる（Ｓ６３）。ステップＳ６３では、フラッシュＲＯＭ２３に保存されている前回保存ファイルに基づいて、前回線画の全座標点がＲＡＭ２２の作業エリアにマッピングされる。対象線画の全座標点がマッピングされる（Ｓ６５）。ステップＳ６５では、ＲＡＭ２２に一時記憶されている線画データに基づいて、対象線画の全座標点がＲＡＭ２２の作業エリアにマッピングされる。
【００５８】
ＲＡＭ２２にマッピングされた前回線画の全座標点及び対象線画の全座標点の間で、座標点の重複があるか否かが判断される（Ｓ６７）。座標点の重複がない場合（Ｓ６７：ＮＯ）、メイン処理（図４参照）に「ＴＲＵＥ」が返される（Ｓ６９）。座標点の重複がある場合（Ｓ６７：ＹＥＳ）、メイン処理（図４参照）に「ＦＡＬＳＥ」が返される（Ｓ７１）。ステップＳ６９又はＳ７１の実行後、処理はメイン処理（図４参照）に戻る。
【００５９】
本実施形態に係る読取装置２で線画ファイルが生成される事例を、具体的に説明する。図６及び図８に示す第一パターンでは、対象線画「ＡＢＣ」を構成する全座標点は、前回線画「１２３」を構成する全座標点と重複していない。前回線画及び対象線画は同一の座標点を含まないため、戻り値は「ＴＲＵＥ」である（Ｓ６７：ＮＯ、Ｓ６９）。この場合、追記線画として「１２３」及び「ＡＢＣ」を示す追記ファイルが生成され、フラッシュＲＯＭ２３に保存される（Ｓ１１：ＹＥＳ、Ｓ１３）。
【００６０】
図６及び図８に示す第二パターンでは、対象線画「ＡＢＣ」を構成する全座標点の一部は、前回線画「１２３」を構成する全座標点の一部と重複している。前回線画及び対象線画は同一の座標点を含むため、戻り値は「ＦＡＬＳＥ」である（Ｓ６７：ＹＥＳ、Ｓ７１）。この場合、対象線画「ＡＢＣ」を示す新規ファイルが生成され、フラッシュＲＯＭ２３に保存される（Ｓ１１：ＮＯ、Ｓ７）。
【００６１】
以上説明したように、第三実施形態の読取装置２では、第一及び第二実施形態と同様に、紙媒体１００に記入された情報を示すファイルを、ユーザの必要に応じた単位で取得できる。読取部２Ｌ，２Ｒ及びＣＰＵ２１によって検出された記入位置に応じて、通常モード及び追記モードのいずれかが選択される（Ｓ９）。詳細には、対象線画に対応する記入位置の全てが、前回線画に対応する記入位置の全てと異なる場合、追記モードが選択される（Ｓ６７：ＹＥＳ、Ｓ７１）。したがって、ユーザが前回線画と同じ紙面（ページ）に対象線画を記入している可能性が高い場合には、対象線画及び前回線画を一つにまとめた追記ファイルを自動的に生成することで、ユーザの操作負担を軽減できる。
【００６２】
上記第一〜第三実施形態において、読取装置２が本発明の「情報入力装置」の一例である。電子ペン３が本発明の「筆記具」の一例である。読取部２Ｌ，２Ｒ及びＣＰＵ２１が、本発明の「検出手段」の一例である。ステップＳ１を実行するＣＰＵ２１が、本発明の「データ取得手段」の一例である。保存指示領域１２２が本発明の「指示入力領域」の一例である。ステップＳ５〜Ｓ１１を実行するＣＰＵ２１が、本発明の「モード選択手段」の一例である。ステップＳ７を実行するＣＰＵ２１が、本発明の「第一生成処理手段」の一例である。ステップＳ１３を実行するＣＰＵ２１が、本発明の「第二生成処理手段」の一例である。対象線画が本発明の「第一線画」の一例である。前回線画が本発明の「第二線画」の一例である。追記線画が本発明の「第三線画」の一例である。
【００６３】
本発明は上記実施形態に限定されるものではなく、種々の変更が可能である。読取装置２は他の方法で電子ペン３の位置を検出してもよい。例えば読取装置２はタッチパネルを備えてもよい。タッチパネルの駆動方式は、抵抗膜方式であることが好ましい。タッチパネル上に紙媒体１００が置かれてもよい。ＣＰＵ２１は、電子ペン３によって紙媒体１００の用紙１２０に線画を記入する動作が行われた場合、タッチパネルを介して筆圧が加えられた位置を検出してもよい。
【００６４】
線画ファイルの生成は、読取装置２とは異なる装置で実行されてもよい。例えば変形例の手書入力システム１では、読取装置２で生成された全ての線画データがＰＣ１９に転送され、ＲＡＭ４３に一時記憶される。ＰＣ１９では、ＣＰＵ４１が図４に示すメイン処理（図４参照）を実行する。これにより、ＰＣ１９において、上記と同様に線画ファイル（新規ファイル及び追記ファイル）を生成できる。
【符号の説明】
【００６５】
２    読取装置
２Ｌ，２Ｒ    読取部
３    電子ペン
２１    ＣＰＵ
２２    ＲＡＭ
１００    紙媒体
１２０    用紙
１２１    情報記入領域
１２２    保存指示領域
【図１】
2015109051.tif 000003
【図２】
2015109051.tif 000004
【図３】
2015109051.tif 000005
【図４】
2015109051.tif 000006
【図５】
2015109051.tif 000007
【図６】
2015109051.tif 000008
【図７】
2015109051.tif 000009
【図８】
2015109051.tif 000010
【図９】
2015109051.tif 000011